(57)【特許請求の範囲】
【請求項１】
第１の電気機器と第２の電気機器とをヒューズを介して電気的に接続するコネクタ装置であって、
基台と、
前記基台に設けられているヒューズ収容部であって、開口を有するヒューズ収容部と、
前記開口を塞ぐヒューズカバーと、
前記基台に設けられており、前記ヒューズ収容部に収容されている前記ヒューズを介して前記第１の電気機器が接続される第１のコネクタと、
前記第２の電気機器が接続される第２のコネクタであって、前記第１のコネクタと嵌合することで前記第１の電気機器と前記第２の電気機器とを電気的に接続する第２のコネクタと、
前記ヒューズカバー又は前記第２のコネクタの少なくとも一方に設けられており、前記第１のコネクタと前記第２のコネクタとが嵌合している状態で前記ヒューズカバーを取り外そうとすると他方に当接して前記ヒューズカバーの取り外しを規制する規制部と、
を備え、
前記第２のコネクタは前記第１のコネクタが内側に嵌合挿入されるフード部を有し、
前記規制部は前記ヒューズカバーに設けられているフランジであり、前記フランジは、前記第１のコネクタと前記第２のコネクタとが嵌合している状態において、前記基台と前記第２のコネクタとの間に入り込んでおり、
前記規制部は前記フード部の内側に入り込むフック部を有する、コネクタ装置。
【請求項２】
前記ヒューズ収容部は前記基台の台面から略垂直に延びる環状の壁であり、
前記ヒューズカバーは前記環状の壁に案内されて前記台面に垂直な方向に取り付け、取り外しされるものである、請求項１に記載のコネクタ装置。
【請求項３】
前記ヒューズカバーは、前記開口を塞ぐ樹脂部材と、前記樹脂部材を覆う金属板金とを有し、前記規制部は前記金属板金の一部である、請求項１又は請求項２に記載のコネクタ装置。
【請求項４】
前記基台は前記第１の電気機器が収容されているハウジングに取り付けられるものであり、
前記ヒューズ収容部は、前記基台が前記ハウジングに取り付けられている状態において、前記第１のコネクタの直上に設けられている、請求項１から請求項３のいずれか一項に記載のコネクタ装置。
【発明の詳細な説明】
【技術分野】
【０００１】
ヒューズを交換するための開口を有するヒューズ収容部と、その開口を塞ぐ着脱可能なヒューズカバーとを備えるコネクタ装置に関する。
【背景技術】
【０００２】
従来、ヒューズを交換するための開口を有するヒューズ収容部と、その開口を塞ぐ着脱可能なヒューズカバーとを備えるコネクタ装置が知られている。例えば特許文献１には、プラグコネクタとレセプタクルコネクタとが着脱自在に嵌合する電気コネクタにおいて、プラグコネクタが有するプラグハウジングに内部空間を設け、その内部空間に２つのプラグコンタクト、及び、それら２つのプラグコンタクトを電気的に接続するヒューズを収容し、嵌合側の反対側の面にヒューズカバーを設ける技術が開示されている。
【先行技術文献】
【特許文献】
【０００３】
【特許文献１】特開２０１２−１８２１０６号公報
【発明の概要】
【発明が解決しようとする課題】
【０００４】
しかしながら、上述した特許文献１に記載の電気コネクタは嵌合側の反対側の面にヒューズカバーが設けられているので、プラグコネクタとレセプタクルコネクタとが嵌合されている状態、すなわち活線状態でもヒューズカバーを取り外すことが可能な構成である。このため作業者が活線状態でヒューズを交換しようとして感電してしまう虞がある。
【０００５】
また、このような活線状態でのヒューズの交換による感電を防止するためにインターロック回路を設置することも一般に行われている。しかしながら、インターロック回路を設置すると部品点数が増えて構成が複雑になるという問題がある。
【０００６】
本明細書では、ヒューズを交換するための開口を有するヒューズ収容部と、その開口を塞ぐ着脱可能なヒューズカバーとを備えるコネクタ装置において、簡素な構成で安全にヒューズを交換することができる技術を開示する。
【課題を解決するための手段】
【０００７】
本明細書で開示されるコネクタ装置は、第１の電気機器と第２の電気機器とをヒューズを介して電気的に接続するコネクタ装置であって、基台と、前記基台に設けられているヒューズ収容部であって、開口を有するヒューズ収容部と、前記開口を塞ぐヒューズカバーと、前記基台に設けられており、前記ヒューズ収容部に収容されている前記ヒューズを介して前記第１の電気機器が接続される第１のコネクタと、前記第２の電気機器が接続される第２のコネクタであって、前記第１のコネクタと嵌合することで前記第１の電気機器と前記第２の電気機器とを電気的に接続する第２のコネクタと、前記ヒューズカバー又は前記第２のコネクタの少なくとも一方に設けられており、前記第１のコネクタと前記第２のコネクタとが嵌合している状態で前記ヒューズカバーを取り外そうとすると他方に当接して前記ヒューズカバーの取り外しを規制する規制部と、を備える。
【０００８】
上記のコネクタ装置によると、作業者が第２のコネクタを抜かずにヒューズカバーを取り外そうとすると、ヒューズカバーに設けられている規制部が第２のコネクタに当接することにより、又は、第２のコネクタに設けられている規制部がヒューズカバーに当接することにより、ヒューズカバーの取り外しが阻害される。
【０００９】
従って、作業者はヒューズを交換するとき、先に第２のコネクタを抜くことになる。第２のコネクタを抜くと活線状態が解除されるので、ヒューズに電流が流れなくなる。これにより、作業者はヒューズを安全に交換することができる。また、このコネクタ装置ではインターロック回路を設けなくてよいので、インターロック回路を設ける場合に比べて構成を簡素にすることができる。よって上記のコネクタ装置によると、簡素な構成で安全にヒューズを交換することができる。
【００１０】
また、上記のコネクタ装置において、前記ヒューズ収容部は前記基台の台面から略垂直に延びる環状の壁であり、前記ヒューズカバーは前記環状の壁に案内されて前記台面に垂直な方向に取り付け、取り外しされるものであり、前記規制部は前記ヒューズカバーに設けられており、前記第１のコネクタと前記第２のコネクタとが嵌合している状態において、前記基台と前記第２のコネクタとの間に入り込んでいてもよい。
【００１１】
上記のコネクタ装置によると、作業者が第２のコネクタを抜かずにヒューズカバーを基台の台面に垂直な方向に取り外そうとすると、ヒューズカバーに設けられている規制部が第２のコネクタに当接することにより、ヒューズカバーの取り外しが規制される。
【００１２】
また、上記のコネクタ装置において、前記第２のコネクタは前記第１のコネクタが内側に嵌合挿入されるフード部を有し、前記規制部は前記フード部の内側に入り込むフック部を有していてもよい。
【００１３】
上記のコネクタ装置によると、フック部がフード部の内側に入り込んでいるため、作業者が第２のコネクタを抜かずにヒューズカバーを取り外そうとしたとき、ヒューズカバーが斜めになっても規制部と第２のコネクタとの係合が外れ難い。これにより、第１のコネクタと第２のコネクタとが嵌合している状態でのヒューズカバーの取り外しをより確実に規制することができる。
【００１４】
また、上記のコネクタ装置において、前記ヒューズカバーは、前記開口を塞ぐ樹脂部材と、前記樹脂部材を覆う金属板金とを有し、前記規制部は前記金属板金の一部であってもよい。
【００１５】
金属板金は樹脂に比べて強度が高いので、規制部を金属板金の一部とすると、作業者が第２のコネクタを抜かずにヒューズカバーを取り外そうとしたときに規制部が破損してしまい難いようにすることができる。
【００１６】
また、上記のコネクタ装置において、前記ヒューズ収容部は前記基台の台面から略垂直に延びる環状の壁を有し、前記ヒューズ保持部は前記環状の壁の内側に設けられており、前記ヒューズカバーは前記環状の壁に案内されて前記台面に垂直な方向に取り付け、取り外しされるものであり、前記規制部は、前記第２のコネクタに設けられている突起であり、前記第１のコネクタと前記第２のコネクタとが嵌合している状態において、前記ヒューズカバーの前記基台とは逆側に位置していてもよい。
【００１７】
上記のコネクタ装置によると、作業者が第２のコネクタを抜かずにヒューズカバーを基台の台面に垂直な方向に取り外そうとすると、第２のコネクタに設けられている突起にヒューズカバーが当接することにより、ヒューズカバーの取り外しが規制される。
【００１８】
また、上記のコネクタ装置において、前記基台は前記第１の電気機器が収容されているハウジングに取り付けられるものであり、前記ヒューズ収容部は、前記基台が前記ハウジングに取り付けられている状態において、前記第１のコネクタの直上に設けられていてもよい。
【００１９】
上記のコネクタ装置によると、ヒューズ収容部が第１のコネクタの直上にあるので、作業者がヒューズを交換した後にヒューズカバーを取り付けるのを忘れて第１のコネクタと第２のコネクタとを嵌合したとき、ヒューズカバーが取り付けられていない状態のヒューズ収容部が作業者の視野に入ることにより、ヒューズカバーを取り付けていないことに気付き易い。これにより、ヒューズカバーが取り付けられていないままになってしまうことを抑制することができる。
【発明の効果】
【００２０】
上記のコネクタ装置によると、ヒューズを交換するための開口を有するヒューズ収容部と、その開口を塞ぐ着脱可能なヒューズカバーとを備えるコネクタ装置において、簡素な構成で安全にヒューズを交換することができる。
【図面の簡単な説明】
【００２１】
【図１】実施形態１に係るコネクタ装置の斜視図。
【図２】コネクタユニットの斜視図。
【図３】ヒューズカバーの正面図。
【図４】ヒューズカバーの断面図。
【図５】コネクタ装置の断面図。
【図６】実施形態２に係るコネクタユニットの斜視図。
【図７】ヒューズカバーの側面図。
【図８】コネクタ装置の断面図。
【図９】実施形態３に係るコネクタ装置の斜視図。
【発明を実施するための形態】
【００２２】
＜実施形態１＞
図１から図５を参照して実施形態１を説明する。本実施形態に係るコネクタ装置１は自動車用の電動エアコンとその電動エアコンを駆動するインバータ装置とを電気的に接続するものである。インバータ装置は第１の電気機器の一例であり、電動エアコンは第２の電気機器の一例である。
【００２３】
（１）コネクタ装置の構成
図１を参照して、コネクタ装置１の全体構成について説明する。なお、図１ではインバータ装置が収容される金属製のインバータハウジング４０の側壁の一部も併せて示している。
【００２４】
図１に示すように、コネクタ装置１はインバータハウジング４０の側壁に取り付けられるコネクタユニット１０と、エアコン側コネクタ２０とを備えている。エアコン側コネクタ２０は第２のコネクタの一例である。図１では見えていないが、インバータハウジング４０の側壁には開口が設けられており、コネクタユニット１０は一部がその開口からインバータハウジング４０の内側に挿入されている。
【００２５】
以降の説明ではコネクタユニット１０がインバータハウジング４０に取り付けられている状態において上になる側のことを単に上側といい、その状態において下になる側のことを下側というものとする。
【００２６】
図２を参照して、コネクタユニット１０について説明する。コネクタユニット１０は基台１１、ヒューズ保持部１２、基台１１を覆うシールド材１３、及び、ヒューズカバー１４を備えている。
【００２７】
基台１１は略板状の樹脂製の部材であり、４つのボルト１５によってインバータハウジング４０に固定される。基台１１にはヒューズ収容部１６、インバータ側コネクタ１７、及び、円柱状に形成された３つのカバー固定部１８が一体に形成されている。インバータ側コネクタ１７は第１のコネクタの一例である。
【００２８】
ヒューズ収容部１６は基台１１の台面からインバータハウジング４０とは逆側に向かって略垂直に延びる環状の壁として構成されており、ヒューズ５０を交換するための開口１６Ａを有している。図２に示すようにヒューズ収容部１６は略楕円形に形成されている。
【００２９】
インバータ側コネクタ１７は、基台１１の台面からインバータハウジング４０とは逆側に向かって略垂直に延びる筒状のハウジング１７Ａと、ハウジング１７Ａの内側に収容されている図示しない２つの金属端子とを有している。図２に示すようにハウジング１７Ａはヒューズ収容部１６の近傍、より具体的にはヒューズ収容部１６の直下に設けられている。言い換えるとヒューズ収容部１６はインバータ側コネクタ１７の直上に設けられている。
【００３０】
ハウジング１７Ａの内側に収容されている図示しない２つの金属端子は、一方がヒューズ保持部１２に電気的に接続されており、他方がヒューズ保持部１２を介さずにインバータ装置に電気的に接続されている。
カバー固定部１８はヒューズカバー１４を基台１１に固定するためのものであり、軸方向にネジ穴が形成されている。
【００３１】
ヒューズ保持部１２はヒューズ収容部１６に収容されている。ヒューズ保持部１２はヒューズ５０を着脱可能に保持するものである。ヒューズ保持部１２は保持しているヒューズ５０を挟んで一端がインバータ側コネクタ１７の前述した一方の金属端子に接続されており、他端がハーネスを介してインバータ装置に接続される。
【００３２】
シールド材１３は基台１１を覆うものであり、前述した４つのボルトによって基台１１に固定されている。シールド材１３は鉄板を加工したものである。なお、シールド材１３はアルミダイキャストによって製造されたものであってもよい。図２に示すようにシールド材１３には中央部に開口１３Ａが設けられており、ヒューズ収容部１６、及び、インバータ側コネクタ１７はその開口１３Ａを通過してインバータハウジング４０とは逆側に延びている。
【００３３】
また、シールド材１３には開口１３Ａ側の縁に３つの舌片１３Ｂが形成されている。舌片１３Ｂは基端部が基台１１の台面に垂直な方向に延びており、先端部がカバー固定部１８の端面を覆うように内側に９０度曲がっている。図２に示すように舌片１３Ｂの先端部にはボルトを通すための穴が形成されている。
【００３４】
ヒューズカバー１４はヒューズ収容部１６の開口１６Ａを塞ぐものであり、略楕円形のカップ状に形成されている。ヒューズカバー１４にはヒューズカバー１４をボルトによってカバー固定部１８に固定するための３つの張出部１４Ａが基台１１の台面に平行な方向に張り出すように設けられている。
【００３５】
各張出部１４Ａには貫通穴が形成されており、張出部１４Ａに形成されている穴、及び、前述した舌片１３Ｂに設けられている穴の順でボルトが通され、そのボルトがカバー固定部１８にネジ結合される。これによりヒューズカバー１４がシールド材１３を介して基台１１に固定される。ヒューズカバー１４は基台１１に固定されるとシールド材１３及び金属製のインバータハウジング４０を介して電気的に接地される。ヒューズカバー１４のより具体的な構成については後述する。
【００３６】
図１に戻る。エアコン側コネクタ２０は、インバータ側コネクタ１７が内側に嵌合挿入されるフード部２１Ａを有するハウジング２１と、フード部２１Ａの内側に収容されている２つの金属端子とを有している。２つの金属端子はそれぞれワイヤハーネスを介して図示しない電動エアコンに接続されている。
【００３７】
エアコン側コネクタ２０は基台１１の台面に略垂直な方向からインバータ側コネクタ１７に嵌合される。エアコン側コネクタ２０がインバータ側コネクタ１７に嵌合されると、インバータ側コネクタ１７の前述した一方の金属端子とエアコン側コネクタ２０の対応する金属端子とが接触し、同様にインバータ側コネクタ１７の他方の金属端子とエアコン側コネクタ２０の対応する金属端子とが接触することにより、第１の電気機器と第２の電気機器とがヒューズ５０を介して電気的に接続される。
【００３８】
（２）ヒューズカバーの構成
次に、ヒューズカバー１４の構成についてより具体的に説明する。図３に示すように、ヒューズカバー１４には下側に設けられている二つの張出部１４Ａの間に板状のフランジ１４Ｂが設けられている。フランジ１４Ｂは規制部の一例である。
【００３９】
図４は図３に示すＡ−Ａ線の断面図である。ヒューズカバー１４は金属製のカバー部材３０、カバー部材３０の内側にネジによって固定されている樹脂製の嵌合部材３１、及び、Ｏリング３２を有している。
【００４０】
図４に示すようにフランジ１４Ｂは金属製のカバー部材３０の縁を曲げることによって形成されている。すなわちフランジ１４Ｂは金属製のカバー部材３０の一部である。
【００４１】
嵌合部材３１はヒューズ収容部１６の開口１６Ａを塞ぐ部材であり、板状の蓋部３１Ａと、ヒューズカバー１４が基台１１に取り付けられている状態において蓋部３１Ａから基台１１側に延びる環状の嵌合部３１Ｂとを有している。嵌合部３１Ｂの外周形状はヒューズ収容部１６の内周形状と略同一である。また、嵌合部３１Ｂの外周には周方向に溝が形成されており、その溝にＯリング３２が嵌め込まれている。これによりヒューズ収容部１６の内部空間が水密に密閉される。カバー部材３０は金属板金の一例であり、嵌合部材３１は樹脂部材の一例である。
【００４２】
作業者は基台１１にヒューズカバー１４を取り付けるとき、基台１１の台面に垂直な方向からヒューズ収容部１６の内側に嵌合部３１Ｂを押し込むようにして取り付ける。つまり、ヒューズカバー１４は嵌合部３１Ｂがヒューズ収容部１６の内壁に案内されて基台１１に垂直な方向から取り付けられる。ヒューズカバー１４を取り外すときも同様であり、ヒューズカバー１４は嵌合部３１Ｂがヒューズ収容部１６の内壁に案内されて基台１１の台面に垂直な方向に取り外される。
【００４３】
図５に示すように、フランジ１４Ｂはカバー部材３０の基台１１側の縁部から基台１１の台面に沿ってインバータ側コネクタ１７の直近まで延びている。このため、ヒューズカバー１４が基台１１に取り付けられている状態でエアコン側コネクタ２０がインバータ側コネクタ１７に嵌合されると、フランジ１４Ｂはエアコン側コネクタ２０のフード部２１Ａと基台１１との間に入り込んだ状態となる。
【００４４】
（３）実施形態の効果
以上説明した実施形態１に係るコネクタ装置１によると、図５に示すようにヒューズカバー１４が基台１１に取り付けられており、且つ、インバータ側コネクタ１７とエアコン側コネクタ２０とが嵌合された状態において、作業者がエアコン側コネクタ２０を抜かずにヒューズカバー１４を取り外そうとすると、ヒューズカバー１４に設けられているフランジ１４Ｂがフード部２１Ａに基台１１側から当接する。このため、エアコン側コネクタ２０によってヒューズカバー１４の取り外しが阻害される。これにより、作業者は先にエアコン側コネクタ２０を抜かなければならないことに気付くことができる。
【００４５】
従って、作業者はヒューズ５０を交換するとき、先にエアコン側コネクタ２０を抜いてからヒューズカバー１４を取り外すことになる。エアコン側コネクタ２０を抜くと活線状態が解除されるので、ヒューズ５０に電流が流れなくなる。これにより、作業者はヒューズ５０を安全に交換することができる。
【００４６】
また、コネクタ装置１によると、インターロック回路を備えなくてよいので、インターロック回路を備える場合に比べて構成を簡素にすることができる。よってコネクタ装置１によると、簡素な構成で安全にヒューズ５０を交換することができる。
【００４７】
また、コネクタ装置１によると、フランジ１４Ｂ（規制部）はカバー部材３０（金属板金）の一部である、金属板金は樹脂に比べて強度が高いので、フランジ１４Ｂを金属板金の一部とすると、作業者が第２のコネクタを抜かずにヒューズカバー１４を取り外そうとしたときにフランジ１４Ｂが破損してしまい難いようにすることができる。
【００４８】
更に、コネクタ装置１によると、ヒューズ収容部１６がインバータ側コネクタ１７の直上にあるので、作業者がヒューズ５０を交換した後にヒューズカバー１４を取り付けるのを忘れてエアコン側コネクタ２０をインバータ側コネクタ１７に嵌合させたとき、ヒューズカバー１４が取り付けられていない状態のヒューズ収容部１６が作業者の視野に入ることにより、ヒューズカバー１４を取り付けていないことに気付き易い。これにより、ヒューズカバー１４が取り付けられていないままになってしまうことを抑制することができる。
【００４９】
＜実施形態２＞
次に、実施形態２を図６から図８によって説明する。本実施形態のコネクタ装置は、実施形態１と一部形状が相違する。なお、実施形態１と同一機能を有する部材、部位については、同一の符号を付すことで、説明を省略しまたは簡略化する。
【００５０】
図６に示すように、本実施形態の基台２１１には二つの円柱状のカバー固定部２１８が基台２１１から突出して設けられている。これら二つのカバー固定部２１８は環状の壁の下側に左右方向に離間して設けられている。一方、ヒューズカバー２１４には下側の両端から下方に張り出す二つの張出部２１４Ａが設けられている。張出部２１４Ａにはネジ穴が形成されており、張出部２１４Ａに通されたボルトがカバー固定部２１８にネジ結合されることによってヒューズカバー２１４が基台２１１に固定される。
【００５１】
また、図６に示すように、本実施形態のヒューズカバー２１４に設けられているカバー部材２３０は実施形態１のカバー部材３０に比べて基台２１１に垂直な方向の幅が短い。すなわち本実施形態のカバー部材２３０は実施形態１のカバー部材３０に比べて浅いカップ状に形成されている。
【００５２】
図７に示すように、カバー部材２３０は二つの張出部２１４Ａの間から基台２１１側に延びる延伸部２１４Ｂを有している。そして、図８に示すように、延伸部２１４Ｂの基台２１１側はヒューズ収容部１６とは逆側に折り返すようにＵ字状に湾曲している。延伸部２１４Ｂにおいて当該湾曲している部分２１４Ｃは規制部の一例であり、湾曲している部分から基台２１１とは逆方向に伸びる部分２１４Ｄはフック部の一例である。
【００５３】
そして、図８に示すように、ヒューズカバー２１４が基台２１１に取り付けられている状態でエアコン側コネクタ２２０がインバータ側コネクタ２１０に嵌合されると、フック部２１４Ｄはエアコン側コネクタ２２０のフード部２２０Ａの内側に入り込んだ状態となる。
【００５４】
以上説明した実施形態２に係るコネクタ装置によると、ヒューズカバー２１４のフック部２１４Ｄがエアコン側コネクタ２２０のフード部２２０Ａの内側に入り込んでいるので、インバータ側コネクタ２１０とエアコン側コネクタ２２０とが嵌合している状態で作業者がヒューズカバー２１４を取り外そうとしたとき、ヒューズカバー２１４が斜めになっても規制部２１４Ｃとエアコン側コネクタ２２０との係合が外れ難い。これにより、インバータ側コネクタ２１０とエアコン側コネクタ２２０とが嵌合している状態でのヒューズカバー２１４の取り外しをより確実に規制することができる。
【００５５】
＜実施形態３＞
次に、実施形態３を図９によって説明する。本実施形態に係るコネクタ装置は、実施形態１と一部形状が相違する。なお、実施形態１と同一機能を有する部材、部位については、同一の符号を付すことで、説明を省略しまたは簡略化する。
【００５６】
図９に示すように、本実施形態に係るエアコン側コネクタ３２０のフード部３２１Ａには上側に延びる突起３０１が設けられている。突起３０１は規制部の一例である。突起３０１はインバータ側コネクタ１７（図２参照）とエアコン側コネクタ３２０とが嵌合している状態においてヒューズカバー１４の基台１１（図２参照）とは逆側に位置するように設けられている。より具体的には、図９に示すように、突起３０１はインバータ側コネクタ１０とエアコン側コネクタ３２０とが嵌合している状態においてヒューズカバー１４にほぼ接触する位置に設けられている。
【００５７】
以上説明した実施形態３に係るコネクタ装置によると、作業者がエアコン側コネクタ３２０を抜かずにヒューズカバー１４を基台１１の台面に垂直な方向に取り外そうとすると、ヒューズカバー１４が突起３０１に当接することにより、ヒューズカバー１４の取り外しが規制される。従って、作業者はヒューズ５０を交換するとき、先にエアコン側コネクタ３２０を抜いてからヒューズカバー１４を取り外すことになる。これにより、作業者はヒューズ５０を安全に交換することができる。
【００５８】
＜他の実施形態＞
本明細書で開示される技術は上記記述及び図面によって説明した実施形態に限定されるものではなく、例えば次のような種々の態様も含まれる。
【００５９】
（１）上記実施形態１ではヒューズカバー１４が金属製のカバー部材３０と樹脂性の嵌合部材３１とを備えている場合を例に説明した。これに対し、ヒューズカバー１４はカバー部材３０を備えていなくてもよい。その場合は嵌合部材３１に規制部を設けるようにすればよい。逆に、ヒューズカバー１４は嵌合部材３１を備えていなくてもよい。実施形態２についても同様である。
【００６０】
（２）上記実施形態３ではヒューズカバー１４がフランジ１４Ｂを有しており、且つ、エアコン側コネクタ３２０が突起３０１を備えている場合を例に説明した。しかしながら、ヒューズカバー１４はフランジ１４Ｂを有していなくてもよい。すなわち、エアコン側コネクタ３２０にのみ規制部を備えてもよい。
【００６１】
（３）上記実施形態１では、ヒューズ収容部１６が基台１１の台面からインバータハウジング４０とは逆側に垂直に延びる環状の壁である場合を例に説明した。これに対し、例えばヒューズ収容部１６は基台１１から図２に示す方向とは逆側、即ちインバータハウジング４０側に凹む有底の穴であってもよい。その場合であっても、ヒューズカバー１４は嵌合部３１Ｂがヒューズ収容部１６に嵌合されることにより、基台１１の台面に垂直な方向からヒューズ収容部１６に挿入されることになる。この場合、例えばヒューズカバー１４の金属製のカバー部材３０を平らな板状に形成し、その縁部がエアコン側コネクタ２０と基台１１との間に入り込むようにすることにより、エアコン側コネクタ２０によってヒューズカバー１４の取り外しを規制することができる。他の実施形態についても同様である。
【００６２】
（４）上記実施形態１では、インバータ側コネクタ１７が基台１１からインバータハウジング４０とは逆側に垂直に延びている場合を例に説明した。しかしながら、インバータ側コネクタ１７は基台からインバタータハウジング４０側に凹む有底の穴として構成されていてもよい。そして、インバータ側コネクタ１７とエアコン側コネクタ２０とが嵌合されている状態においてエアコン側コネクタ２０からヒューズカバー１４側に延びるフランジを設け、ヒューズカバー１４に設けられている別のフランジがエアコン側コネクタ２０に設けられているフランジに基台側１１から当接することによってヒューズカバー１４の取り外しを抑制してもよい。他の実施形態についても同様である。
【００６３】
（５）上記実施形態１ではエアコン側コネクタ２０が基台１１の台面に垂直な方向からインバータ側コネクタ１７に嵌合される場合を例に説明した。これに対し、エアコン側コネクタ２０は基台１１の台面に平行な方向からインバータ側コネクタ１７に嵌合される構造であってもよい。その場合であっても、インバータ側コネクタ１７とエアコン側コネクタ２０とが嵌合している状態でインバータ側コネクタ１７と基台１１との間にフランジ１４Ｂが入り込むように構成することにより、エアコン側コネクタ２０によってヒューズカバー１４の取り外しを規制することができる。
【符号の説明】
【００６４】
１…コネクタ装置
１０…コネクタユニット
１１…基台
１４…ヒューズカバー
１４Ｂ…フランジ
１６…ヒューズ収容部
１６Ａ…開口
１７…インバータ側コネクタ
２０…エアコン側コネクタ
２１Ａ…フード部
５０…ヒューズ
２１０…インバータ側コネクタ
２１１…基台
２１４…ヒューズカバー
２１４Ｃ…規制部
２１４Ｄ…フック部
２２０…エアコン側コネクタ
２２０Ａ…フード部
３０１…突起
３２０…エアコン側コネクタ
３２１Ａ…フード部
【図１】
0006260829.tif 000002
【図２】
0006260829.tif 000003
【図３】
0006260829.tif 000004
【図４】
0006260829.tif 000005
【図５】
0006260829.tif 000006
【図６】
0006260829.tif 000007
【図７】
0006260829.tif 000008
【図８】
0006260829.tif 000009
【図９】
0006260829.tif 000010